(57)【要約】      （修正有）【課題】デザイン性に優れると共に、使用者の眼の焦点の調整機能を有し、且つ、使い勝手の良い眼鏡セットを提供する。【解決手段】度付きレンズ２１１を有する前枠２１及び左右のテンプル２３を具備する度付き眼鏡２と、度付き眼鏡２の前面に着脱自在に取り付けられる前掛部材３とを備え、前掛部材３は、前枠２１よりも曲率が大きいサングラスレンズ３１と、後方に突出した突起部３３と、サングラスレンズ３１を度付き眼鏡２の前面に位置した状態と、前面に位置した状態から上方に跳ね上げた状態との何れかの状態に切り替えることが可能な取付部３４とを具備し、度付き眼鏡２は、弾性を有する左右のクリングス２１４を更に具備し、左右のクリングス２１４が、互いに反対方向に付勢されると共に、左右のクリングス２１４が互いに左右反対方向に弾性変形し、突起部３３に対して弾性的に係合することで、前掛部材３が度付き眼鏡２の前枠２１の前面に取り付けられる。【選択図】図１
0003133206.tif 000002
【実用新案登録請求の範囲】
【請求項１】
左右の度付きレンズを有する前枠及び左右のテンプルを具備する度付き眼鏡と、前記度付き眼鏡の前面に着脱自在に取り付けられる前掛部材とを備え、
前記前掛部材は、前記度付き眼鏡の前枠よりも曲率が大きいサングラスレンズと、後方に突出し、側方に切欠部が形成された突起部と、前記サングラスレンズと前記突起部とを回動自在に連結し、前記サングラスレンズを前記突起部に対して回動させることで、前記サングラスレンズを前記度付き眼鏡の前面に位置した状態と、前記前面に位置した状態から上方に跳ね上げた状態との何れかの状態に切り替えることが可能な取付部とを具備し、
前記度付き眼鏡は、鼻パッドがそれぞれ取り付けられた弾性を有する左右のクリングスを更に具備し、
前記左右のクリングスが、互いに反対方向に付勢されると共に、前記左右のクリングスが互いに左右反対方向に弾性変形し、前記突起部の切欠部に対して弾性的に係合することで、前記前掛部材が前記度付き眼鏡の前枠の前面に取り付けられることを特徴とする眼鏡セット。
【請求項２】
前記度付き眼鏡は、前後方向に延びる貫通孔を更に具備し、
前記切欠部は、前記突起部が前記貫通孔に挿通された状態において、前記貫通孔外に露出する位置に形成されており、
前記左右のクリングスは、前記貫通孔に前記突起部が挿通された状態の前記切欠部に対して弾性的に係合することを特徴とする請求項１に記載の眼鏡セット。
【請求項３】
左右の度付きレンズを有する前枠及び左右のテンプルを具備する度付き眼鏡と、前記度付き眼鏡の前面に着脱自在に取り付けられる前掛部材とを備え、
前記前掛部材は、前記度付き眼鏡の前枠よりも曲率が大きいサングラスレンズと、鼻パッドがそれぞれ取り付けられた弾性を有する左右のクリングスと、前記サングラスレンズと前記左右のクリングスとを回動自在に連結し、前記サングラスレンズを前記左右のクリングスに対して回動させることで、前記サングラスレンズを前記度付き眼鏡の前面に位置した状態と、前記前面に位置した状態から上方に跳ね上げた状態との何れかの状態に切り替えることが可能な取付部とを具備し、
前記度付き眼鏡は、前方に突出した突起部を更に具備し、
前記左右のクリングスが、互いに反対方向に付勢されると共に、前記左右のクリングスが互いに左右反対方向に弾性変形し、前記突起部の切欠部に対して弾性的に係合することで、前記前掛部材が前記度付き眼鏡の前枠の前面に取り付けられることを特徴とする眼鏡セット。
【請求項４】
前記前掛部材は、前後方向に延びる貫通孔を有した連結片を更に具備し、
前記取付部は、前記サングラスレンズと前記左右のクリングス及び前記連結片とを回動自在に連結し、前記サングラスレンズを前記左右のクリングス及び前記連結片に対して回動させることで、前記サングラスレンズを前記度付き眼鏡の前面に位置した状態と、前記前面に位置した状態から上方に跳ね上げた状態とに切り替えることが可能であり、
前記切欠部は、前記突起部が前記貫通孔に挿通された状態において、前記貫通孔外に露出する位置に形成されており、前記左右のクリングスは、前記貫通孔に前記突起部が挿通された状態の前記切欠部に対して弾性的に係合することを特徴とする請求項３に記載の眼鏡セット。
【考案の詳細な説明】
【技術分野】
【０００１】
本考案は、デザイン性に優れると共に、使用者の眼の焦点の調整機能を有し、且つ、使い勝手の良い眼鏡セットに関するものである。
【背景技術】
【０００２】
近年、デザイン性に優れたサングラスのニーズが高まっており、デザイン性に優れた各種のサングラスが商品化されている。その１つとして、サングラスレンズを有する前枠が顔面に沿うような大きな曲率で湾曲したデザインのサングラスを挙げることができる。このようなデザインに対するニーズは、サングラスレンズに度の入った度付きサングラスについても高まっている。しかしながら、レンズの曲率は、レンズの焦点の調整量に影響を及ぼすため、デザイン性を向上させる目的で度の入ったレンズを湾曲させることは好ましくない。このため、前枠が顔面に沿うような大きな曲率で湾曲したデザイン性に優れた度付きサングラスの商品化が図られていない。そこで、本出願人は、前枠が顔面に沿うような大きな曲率で湾曲したデザインの度付きサングラスに対するニーズに応えるべく、特許文献１に係る眼鏡セットを提案している。
【０００３】
特許文献１に係る眼鏡セットは、度付きレンズと大きな曲率で湾曲したサングラスレンズとを備え、サングラスレンズが度付きレンズの前面に取り付けられる構成とされている。このような構成のため、特許文献１に係る眼鏡セットを使用する際には、サングラスレンズと度付きレンズとの両方を通して物を見ることになる。よって、サングラスレンズに度が入っていなくても、特許文献１に係る眼鏡セットは、焦点の調整機能を有することができる。サングラスレンズに度が入っていなければ、サングラスレンズの曲率を変化させても、眼鏡セットの焦点の調整量が変化する恐れがない。従って、特許文献１に係る眼鏡セットにおいては、焦点の調整量に制約されることなく、サングラスレンズの曲率を決定することができる。このため、特許文献１に係る眼鏡セットにおいては、サングラスレンズの曲率を、大きな曲率とすることができる。更に、サングラスレンズが度付きレンズの前面に取り付けられることで、特許文献１の眼鏡セットの正面視においては、度付きレンズが現れず、大きな曲率で湾曲したサングラスレンズが現れる。従って、特許文献１に係る眼鏡セットは、正面視においては、前枠が顔面に沿うような大きな曲率で湾曲したデザインのサングラスのような外観を有する。以上のように、特許文献１に係る眼鏡セットは、焦点の調整機能を有すると共に、前枠が顔面に沿うような大きな曲率で湾曲したデザインのサングラスのような外観を有するため、前述した度付きサングラスに対するニーズに応えることができるものである。
【特許文献１】特許３８７７３２８号公報
【考案の開示】
【考案が解決しようとする課題】
【０００４】
しかしながら、特許文献１に係る眼鏡セットを使用しているときは、サングラスレンズを通して物を見ることになるため、暗い場所では視界が悪い。よって、例えば、特許文献１に係る眼鏡セットを使用して車を運転しているときに、トンネルに入ると、視界が悪くなり、事故を起こし易い状態となる。このため、特許文献１に係る眼鏡セットは、トンネル等の暗い場所に入る際には外す必要があり、使い勝手の良いものではない。
【０００５】
本考案は、デザイン性に優れると共に、使用者の眼の焦点の調整機能を有し、且つ、使い勝手の良い眼鏡セットを提供することを課題とする。
【課題を解決するための手段】
【０００６】
本考案は、第１の手段として、左右の度付きレンズを有する前枠及び左右のテンプルを具備する度付き眼鏡と、前記度付き眼鏡の前面に着脱自在に取り付けられる前掛部材とを備え、前記前掛部材は、前記度付き眼鏡の前枠よりも曲率が大きいサングラスレンズと、後方に突出し、側方に切欠部が形成された突起部と、前記サングラスレンズと前記突起部とを回動自在に連結し、前記サングラスレンズを前記突起部に対して回動させることで、前記サングラスレンズを前記度付き眼鏡の前面に位置した状態と、前記前面に位置した状態から上方に跳ね上げた状態との何れかに切り替えることが可能な取付部とを具備し、前記度付き眼鏡は、鼻パッドがそれぞれ取り付けられた弾性を有する左右のクリングスを更に具備し、前記左右のクリングスが、互いに反対方向に付勢されると共に、前記左右のクリングスが互いに左右反対方向に弾性変形し、前記突起部の切欠部に対して弾性的に係合することで、前記前掛部材が前記度付き眼鏡の前枠の前面に取り付けられることを特徴とする眼鏡セットを提供する。
【０００７】
第１の手段に係る眼鏡セットは、度付き眼鏡と、度付き眼鏡の前面に取り付けられる前掛部材とを備える。度付き眼鏡には度付きレンズが具備され、前掛部材にはサングラスレンズが具備されている。このサングラスレンズは、度付き眼鏡の前面に位置した状態と、前記前面に位置した状態から上方に跳ね上げた状態との何れかの状態を取ることが可能とされている。尚、このサングラスレンズは、度が入っていない。
【０００８】
第１の手段に係る眼鏡セットは、サングラスレンズを度付き眼鏡の前面に位置した状態とすると、度付きレンズとサングラスレンズとの両方を通して物を見ることができる。よって、サングラスレンズを度付き眼鏡の前面に位置した状態とすると、第１の手段に係る眼鏡セットを度付きサングラスとして使用することができる。また、第１の手段に係る眼鏡セットは、サングラスレンズを上方に跳ね上げた状態とすると、度付きレンズのみを通して物を見ることができる。よって、サングラスレンズを上方に跳ね上げた状態では、第１の手段に係る眼鏡セットを度付き眼鏡として使用することができる。このように、第１の手段に係る眼鏡セットは、サングラスレンズが、度付き眼鏡の前面に位置した状態のときでも、上方に跳ね上げた状態のときでも、度付きレンズを通して物を見ることができるので、何れの状態であっても、使用者の目の焦点を調整することができる。
【０００９】
また、サングラスレンズを上方に跳ね上げた状態では、度付きレンズのみを通して物を見ることになるため、サングラスレンズを上方に跳ね上げた状態とすることで、暗い場所における視界が悪くなることを防止することができる。よって、第１の手段に係る眼鏡セットは、使い勝手が良い。
【００１０】
また、サングラスレンズに度が入っていないため、サングラスレンズの曲率を変化させても、眼鏡セットの焦点の調整量が変化する恐れがない。サングラスレンズの曲率の変化によって焦点の調整量が変化する恐れがないため、第１の手段に係る眼鏡セットは、焦点の調整量に制約されることなく、サングラスレンズの曲率を決定することができる。このため、第１の手段に係る眼鏡セットにおいては、サングラスレンズの曲率を、顔面に沿うような大きな曲率とすることができる。また、サングラスレンズを度付き眼鏡の前面に位置した状態とすると、第１の手段に係る眼鏡セットの正面視において、度付き眼鏡が現れず、サングラスレンズが現れる。従って、サングラスレンズを顔面に沿うような大きな曲率で湾曲した形状とすることで、第１の手段に係る眼鏡セットは、正面視において、前枠が顔面に沿うような大きな曲率で湾曲したデザインのサングラスのような外観を有することができる。
【００１１】
度付き眼鏡に対する前掛部材の取り付けは、前掛部材の突起部に度付き眼鏡の左右のクリングスが係合することで実現される。左右のクリングスは、突起部に係合する際には、互いに反対方向に付勢されると共に、それぞれ左右反対方向に弾性変形した状態とされる。つまり、突起部と左右のクリングスとの係合は、左右のクリングスが弾性変形することによって生じる互いに反対方向の付勢力で左右のクリングスが突起部を押圧し、該突起部と左右のクリングスとが固定されることで実現される。
【００１２】
更に、突起部の側方には切欠部が形成され、突起部に左右のクリングスが係合する際には、この切欠部に左右のクリングスが嵌り込んで、突起部を押圧する。このように、切欠部に左右のクリングスが嵌り込むことで、左右のクリングスに対して突起部、ひいては前掛部材の前後方向の移動が阻害され、前掛部材を安定した状態で度付き眼鏡に取り付けることができる。
【００１３】
また、前掛部材は度付き眼鏡に対して着脱自在に取り付け可能とされている。よって、度付き眼鏡に対して前掛部材をＴＰＯに応じて取り替えれば、第１の手段に係る眼鏡セットは、ＴＰＯに応じて外観を変更することができる。前掛部材の取り替えは、前掛部材を度付き眼鏡から取り外し、他の前掛部材を度付き眼鏡に取り付けることで行うことができる。度付き眼鏡に対する前掛部材の取り外しは、左右のクリングスと突起部との係合を解除することで行うことができる。一方、度付き眼鏡に対する前掛部材の取り付けは、前述の方法で行うことができる。
【００１４】
更に、第１の手段に係る眼鏡セットは、前掛部材を度付き眼鏡から取り外せば、度付き眼鏡を、度付き眼鏡そのものとして使用することができる。
【００１５】
第１の手段として提供される眼鏡セットは、好ましくは、前記度付き眼鏡は、前後方向に延びる貫通孔を具備し、前記切欠部は、前記突起部が前記貫通孔に挿通された状態において、前記貫通孔外に露出する位置に形成されており、前記左右のクリングスは、前記貫通孔に前記突起部が挿通された状態の前記切欠部に対して弾性的に係合する構成とされる。
【００１６】
かかる好ましい構成によれば、度付き眼鏡が前後方向に延びる貫通孔を具備し、左右のクリングスが突起部に係合する際には、突起部がこの貫通孔に挿通される。よって、左右のクリングスが突起部に係合した状態においては、度付き眼鏡に対する突起部の上下左右方向の移動が阻止される。これにより、かかる好ましい構成におていは、突起部、ひいては前掛部材を安定した状態で度付き眼鏡に取り付けることができる。また、切欠部は、突起部が貫通孔に挿通された状態において、貫通孔外に露出する位置に形成されているため、突起部を貫通孔に挿通しても、クリングスが切欠部に嵌り込むことができる。従って、かかる好ましい構成によれば、クリングスと突起部との係合による前掛部材を安定した状態で度付き眼鏡に取り付けることを阻害することなく、前掛部材を更に安定した状態で度付き眼鏡に取り付けることができる。
【００１７】
また、本考案は、第２の手段として、左右の度付きレンズを有する前枠及び左右のテンプルを具備する度付き眼鏡と、前記度付き眼鏡の前面に着脱自在に取り付けられる前掛部材とを備え、前記前掛部材は、前記度付き眼鏡の前枠よりも曲率が大きいサングラスレンズと、鼻パッドがそれぞれ取り付けられた弾性を有する左右のクリングスと、前記サングラスレンズと前記左右のクリングスとを回動自在に連結し、前記サングラスレンズを前記左右のクリングスに対して回動させることで、前記サングラスレンズを前記度付き眼鏡の前面に位置した状態と、前記前面に位置した状態から上方に跳ね上げた状態との何れかに切り替えることが可能な取付部とを具備し、前記度付き眼鏡は、前方に突出した突起部を更に具備し、前記左右のクリングスが、互いに反対方向に付勢されると共に、前記左右のクリングスが互いに左右反対方向に弾性変形し、前記突起部の切欠部に対して弾性的に係合することで、前記前掛部材が前記度付き眼鏡の前枠の前面に取り付けられることを特徴とする眼鏡セットを提供する。
【００１８】
第２の手段に係る眼鏡セットにおいては、突起部が度付き眼鏡に、左右のクリングスが前掛部材に具備されている点が第１の手段に係る眼鏡セットと異なる。第２の手段に係る眼鏡セットの効果は第１の手段に係る眼鏡フレームと同様である。
【００１９】
第２の手段として提供される眼鏡セットは、好ましくは、前記前掛部材は、前後方向に延びる貫通孔を有した連結片を更に具備し、前記取付部は、前記サングラスレンズと前記左右のクリングス及び前記連結片とを回動自在に連結し、前記サングラスレンズを前記左右のクリングス及び前記連結片に対して回動させることで、前記サングラスレンズを前記度付き眼鏡の前面に位置した状態と、前記前面に位置した状態から上方に跳ね上げた状態との何れかに切り替えることが可能であり、前記切欠部は、前記突起部が前記貫通孔に挿通された状態において、前記貫通孔外に露出する位置に形成されており、前記左右のクリングスは、前記貫通孔に前記突起部が挿通された状態の前記切欠部に対して弾性的に係合する構成とされる。
【００２０】
かかる好ましい構成においては、第１の手段の好ましい構成と同様の効果を有する。即ち、かかる好ましい構成によれば、クリングスと突起部との係合による前掛部材を安定した状態で度付き眼鏡に取り付けることを阻害することなく、前掛部材を更に安定した状態で度付き眼鏡に取り付けることができる。
【考案の効果】
【００２１】
本考案によれば、デザイン性に優れると共に、使用者の眼の焦点の調整機能を有し、且つ、使い勝手の良い眼鏡セットを提供することができる。
【考案を実施するための最良の形態】
【００２２】
（実施形態１）
図１は本実施形態に係る眼鏡セット１の外観図であり、図１（ａ）は眼鏡セット１の平面図を示し、図１（ｂ）は眼鏡セット１の正面図を示す。図１に示すように、眼鏡セット１は、左右の度付きレンズ２１１を有する前枠２１及びテンプル２３を具備する度付き眼鏡２と、度付き眼鏡２の前枠２１よりも曲率が大きく、度付き眼鏡２の前面に着脱自在に取り付けられる前掛部材３とを備える。度付き眼鏡２は、前枠２１とテンプル２３の他、ヨロイ２２及び丁番構造２４を具備する。
【００２３】
図２は度付き眼鏡２の前枠２１の構成を示す図であり、図２（ａ）は正面図を示し、図２（ｂ）は左右方向中央部の拡大背面図を示す。図２に示すように、前枠２１は、左右の度付きレンズ２１１と、リム部２１２と、ブリッジ部２１３と、左右のクリングス２１４と、鼻パッド２１５と、貫通孔２１６とを具備する。
【００２４】
左右の度付きレンズ２１１は、使用者の目の焦点を調整する機能を備えるレンズ（度が入っているレンズ）である限りにおいて、特に限定されるものでなく、例えば、色の付いたレンズや偏向性を有したレンズ等を使用することができる。
【００２５】
リム部２１２は、左右それぞれの度付きレンズ２１１の外周部の上部から前枠２１の左右方向中央部側部分に沿って設けられており、左右の度付きレンズ２１１を保持している。尚、このようなリムのタイプは一般的にハーフリムタイプと呼ばれている。
【００２６】
ブリッジ部２１３は、左右のリム部２１２を連結している。図１（ａ）に示すように、ブリッジ部２１３は、眼鏡セット１の使用者の鼻の形状に対応して中央部が前方に突出するように湾曲している。
【００２７】
図２（ｂ）に示すように、左右のクリングス２１４は中間部２１４ｂが屈曲した略Ｌ字状に形成されている。左右のクリングス２１４は、それぞれ基端部２１４ａがリム部２１２の後面にろう付け等により取り付けられている。左のクリングス２１４は、基端部２１４ａに対して中間部２１４ｂが略水平方向右側に位置し、中間部２１４ｂに対して先端部２１４ｃが下方に位置している。右のクリングス２１４は、基端部２１４ａに対して中間部２１４ｂが略水平方向左側に位置し、中間部２１４ｂに対して先端部２１４ｃが下方に位置している。左右のクリングス２１４は、弾性を有し、中間部２１４ｂにおける屈曲角が大きくなる方向に弾性変形すると、当該屈曲角を小さくする方向に付勢力が作用し、中間部２１４ｂにおける屈曲角が小さくなる方向に弾性変形すると、当該屈曲角を大きくする方向に付勢力が作用する。即ち、図２（ｂ）に示すように、中間部２１４ｂと先端部２１４ｃとの間の部分（以下、係合部２１４ｄという）が右（矢印Ｒ）方向に移動するように左又は右のクリングス２１４を弾性変形させると、当該係合部２１４ｄを左（矢印Ｌ）方向に付勢する付勢力が左又は右のクリングス２１４に作用する。係合部２１４ｄが左方向に移動するように左又は右のクリングス２１４を弾性変形させると、係合部２１４ｄを右方向に付勢する付勢力が左又は右のクリングス２１４に作用する。
【００２８】
鼻パッド２１５は、左右のクリングス２１４の先端部２１４ｃに取り付けられている。
【００２９】
貫通孔２１６は、ブリッジ部２１３を前後方向に貫通する孔である。貫通孔２１６は、ブリッジ部２１３の左右の２箇所に形成されている。図２（ｂ）に示すように、左の貫通孔２１６は、弾性変形していない状態の左のクリングス２１４の中間部２１４ｂ又は係合部２１４ｄと前後に重なる位置に形成されている。同様に、右の貫通孔２１６は、弾性変形していない状態の右のクリングス２１４の中間部２１４ｂ又は係合部２１４ｄと前後に重なる位置に形成されている。
【００３０】
図１（ａ）に示すように、ヨロイ２２は、左右一対設けられている。左のヨロイ２２は、一端部が前枠２１の左のリム部２１２に、右のヨロイ２２は、一端部が前枠２１の右のリム部２１２に取り付けられている。
【００３１】
丁番構造２４は、左右一対設けられている。左の丁番構造２４には、左のヨロイ２２の他端部と、左のテンプル２３の前端部とが取り付けられている。この左の丁番構造２４は、左のヨロイ２２に対して左のテンプル２３を回動自在に連結している。一方、右の丁番構造２４には、右のヨロイ２２の他端部と、右のテンプル２３の前端部とが取り付けられている。この右の丁番構造２４は、右のヨロイ２２に対して右のテンプル２３を回動自在に連結している。
【００３２】
図３は前掛部材３の構成を示す図であり、図３（ａ）は背面図を示し、図３（ｂ）は前掛部材３の左右方向中央部の平面図を示し、図３（ｃ）は図３（ａ）のＡ−Ａ断面図を示し、図３（ｄ）は前掛部材３のサングラスレンズ３１が図３（ｃ）に示す状態から上方に跳ね上げられた状態のＡ−Ａ断面図を示す。図３に示すように、前掛部材３は、サングラスレンズ３１と、突起部３３と、取付部３４と、連結片３５とを具備する。
【００３３】
サングラスレンズ３１は、眼鏡セット１の使用者の左目及び右目を覆うことができるように、左右方向に長く形成されている。即ち、本実施形態では、サングラスレンズ３１は、１枚で、左目の視界に入る左のサングラスレンズと、右目の視界に入る右のサングラスレンズとを兼ねている。サングラスレンズ３１は、焦点を調整する機能を備えないレンズ（度の入っていないレンズ）である限りにおいて、特に限定されるものでなく、例えば、色の付いたレンズや偏向性を有したレンズ等を使用することができる。
【００３４】
図１（ａ）に示すように、サングラスレンズ３１は、使用者の顔面に沿うように、中央部が前方に位置し、左右両端側に向かうほど後方に位置するように湾曲した曲面状に形成されている。サングラスレンズ３１の曲率は、度付き眼鏡２の前枠２１の曲率より大きく形成されている。本実施形態では、サングラスレンズ３１の曲率には、曲率半径が８０〜１５０ｍｍの間の曲率が採用されている。尚、曲率半径が８０〜１５０ｍｍの曲率には、デザイン性の良いスポーツ用サングラス等に使用される６カーブレンズや、８カーブレンズと呼ばれるレンズの曲率が含まれる。また、本実施形態では、度付き眼鏡２の前枠２１の曲率には、曲率半径が２５０〜４５０ｍｍの間の曲率が採用されている。曲率半径が２５０〜４５０ｍｍの曲率は、通常の度付き眼鏡の前枠に採用されている曲率である。曲率半径が２５０〜４５０ｍｍの前枠２１に対応する曲率に、使用者の視力に応じた焦点の調整量を有する度付きレンズ２１１を製造することは比較的容易に行うことができる。
【００３５】
突起部３３は、前記取付部３４に取り付けられる連結片３５の後面から後方に突出するように取付部３５に取り付けられている。本実施形態では突起部３３は、左右に並設されるように取付部３５に２つ取り付けられている。各突起部３３は、略円柱状に形成されている。各突起部３３が度付き眼鏡２の貫通孔２１６に挿通可能なように、各突起部３３の間隔は貫通孔２１６の間隔と同一とされ、各突起部３３の径は、貫通孔２１６よりも小さくされている。
【００３６】
突起部３３には、側方に切欠部３３１が形成されている。図３（ｂ）に示すように、本実施形態においては、切欠部３３１は、突起部３３の前掛部材３の左右方向中央側の側方に形成されている。即ち、左の突起部３３においては、右側面に切欠部３３１が形成され、右の突起部３３においては、左側面に切欠部３３１が形成されている。尚、切欠部３３１は、突起部３３の側方に形成されていればよく、例えば、突起部３３の周面全周に形成されていてもよい。切欠部３３１の大きさは、少なくともクリングス２１４の中間部２１４ｂ又は係合部分２１４ｄの一部分が嵌り込むことで、クリングス２１４に対して突起部３３、ひいては、前掛部材３の前後方向の移動を阻害できる限りにおいて、特に限定されるものでない。
【００３７】
また、切欠部３３１は、突起部３３が貫通孔２１６に挿通された状態において、貫通孔２１６外に露出する位置に形成されている。本実施形態では、切欠部３３１は、突起部３３の基端部（取付部３５）側から貫通孔２１６の長さ以上先端部側に離れた位置に形成されている。このような位置に形成されると、突起部３３の基端部側が貫通孔２１６に挿通されているとき、切欠部３３１は、貫通孔２１６外に露出する。
【００３８】
図４は、図１（ａ）のＢ―Ｂ断面であり、図４（ａ）はサングラスレンズ３１が連結片３５の前面に位置する状態のＢ−Ｂ断面図を示し、図４（ｂ）はサングラスレンズ３１を図４（ａ）に示す状態から上方に跳ね上げた状態のＢ−Ｂ断面図を示す。図４に示すように、突起部３３は、前掛部材３が度付き眼鏡２に取り付けられる際には、左右のクリングス２１４が係合する状態とされる。
【００３９】
図５は度付き眼鏡２に対する前掛部材３の取り付け方法を説明するための図である。前掛部材３の取り付けは、まず、図５（ａ）に示すように、左右のクリングス２１４の係合部２１４ｄ又は左右の鼻パッド２１５を指等でつまみ、左右のクリングス２１４の係合部２１４ｄと貫通孔２１６とが前後に重ならないように、左右のクリングス２１４の係合部２１４ｄを移動させる。例えば、左右のクリングス２１４の係合部２１４ｄ又は左右の鼻パッド２１５を指等でつまみ、左右のクリングス２１４の中間部２１４ｂにおける屈曲角が大きくなるように左右のクリングス２１４を弾性変形させて、左右のクリングス２１４の係合部２１４ｄを左右の貫通孔２１６の間に移動させる。即ち、左のクリングス２１４の係合部２１４ｄを左の貫通孔２１６の右側に移動させ、右のクリングス２１４の係合部２１４ｄを右の貫通孔２１６の左側に移動させる。
【００４０】
次に、図５（ｂ）に示すように、前掛部材３を度付き眼鏡２の前方から後方へスライドさせて、左の突起部３３を基端部まで左の貫通孔２１６に、右の突起部３３を基端部まで右の貫通孔２１６に挿通する。次に、図５（ｃ）に示すように、このスライドにより、左右の突起部３３の切欠部３３１が、貫通孔２１６から度付き眼鏡２の後方に露出すると、係合部２１４ｄ又は鼻パッド２１５から指等を離す。指等を離すと、中間部２１４ｂにおける屈曲角が小さくなる方向の付勢力によって、左のクリングス２１４の係合部２１４ｄは左方向に、右のクリングス２１４の係合部２１４ｄは右方向に移動する。この移動により、左のクリングス２１４は、左の突起部３３の切欠部３３１に嵌り込み、左の突起部３３を左方向に押圧する。一方、右のクリングス２１４は、右の突起部３３の切欠部３３１に嵌り込み、右の突起部３３を右方向に押圧する。このように、左右のクリングス２１４が弾性変形することによって生じる互いに反対方向の付勢力で左右の突起部３３が押圧されることで、左右の突起部３３と左右のクリングス２１４とが固定される。このように、突起部３３とクリングス２１４とが固定されることで、突起部３３の切欠部３３１にクリングス２１４が係合し、突起部３３を具備する前掛部材３が度付き眼鏡２に取り付けられる。
【００４１】
このように、前掛部材３を度付き眼鏡２に取り付けた状態においては、突起部３３が貫通孔２１６に挿通されるため、度付き眼鏡２に対する突起部３３の上下左右方向の移動が阻止される。これにより、突起部３３、ひいては前掛部材３を安定した状態で度付き眼鏡２に取り付けることができる。
【００４２】
また、切欠部３３１は、突起部３３の基端部側まで貫通孔２１６を挿通させると、貫通孔２１６外に露出するため、突起部３３を貫通孔２１６に挿通しても、クリングス２１４が切欠部３３１に嵌り込むことができる。このように、切欠部３３１に左右のクリングス２１４が嵌り込むことができるので、クリングス２１４に対して突起部３３、ひいては前掛部材３の前後方向の移動が阻害される。よって、眼鏡セット１においては、切欠部３３１に左右のクリングス２１４が嵌り込むことによって、前掛部材３を更に安定した状態で度付き眼鏡２に取り付けることが実現されている。
【００４３】
取付部３４は、図３（ａ）に示すように、サングラスレンズ３１の左右方向中央部後面に取り付けられている。この取り付けは、図３（ｂ）に示すように、サングラスレンズ３１の前面側から後面側にサングラスレンズ３１を貫通したネジ３５を取付部３４の前面側に食い込ませることで行われる。かかる取付部３４は、固定片３４１と、軸部材３４２とを具備する。
【００４４】
固定片３４１は、サングラスレンズ３１の左右方向中央部後面に固定されている。固定片３４１の固定は、固定片３４１に前記ネジ３５が食い込むことで行われている。更に、固定片３４１には、固定片３４１を左右方向に貫通する貫通孔（図示せず）が形成されている。この貫通孔には、軸部材３４２（図３（ａ）及び（ｂ）において点線で示す）が挿通されている。
【００４５】
軸部材３４２は、円柱状に形成され、両端部が、固定片３４１の貫通孔の左右方向両側から左右方向外側に露出するように、該貫通孔に挿通されている。
【００４６】
更に、突起部３３が取り付けられる連結片３５は、図３（ａ）に示すように、上部及び下部のそれぞれが二股に分かれた、背面視Ｈ字状に形成されている。連結片３５の下部においては、二股に分かれて形成された２つのそれぞれの先端部の後面に、前述の突起部３３が後方に突出するように取り付けられている。一方、上部においては、二股に分かれて形成された２つのそれぞれの先端部には、左右方向に貫通する貫通孔（図示しない）が形成されている。これらの貫通孔には、軸部材３４２の固定片３４１の貫通孔から露出した両端部が挿通されている。このように、軸部材３４２が、固定片３４１と連結片３５との貫通孔に挿通されることで、固定片３４１と連結片３５とが回動自在に連結されている。軸部材３４２が、固定片３４１と連結片３５との貫通孔に挿通されることで、固定片３４１と連結片３５とが回動自在に連結される具体的な構成として、次の３つの構成を挙げることができる。１つ目は、固定片３４１と連結片３５との何れもが軸部材３４２と固着されておらず、何れも軸部材３４２に対して回動自在とされている構成である。２つ目は、固定片３４１が軸部材３４２と固着され、連結片３５に対して、固定片３４１及び軸部材３４２が一体的に回動自在とされている構成である。３つ目は、連結片３５が軸部材３４２と固着され、固定片３４１に対して、連結片３５及び軸部材３４２が一体的に回動自在とされている構成である。
【００４７】
このようにサングラスレンズ３１に固定される固定片３４１が、連結片３５に対して回動自在とされていることで、前掛部材３は、サングラスレンズ３１の状態を、連結片３５の前面に位置した状態（図３（ｃ）参照）と、連結片３５の前面に位置した状態から上方に跳ね上げた状態（図３（ｄ）参照）との何れかに切り替えることができる。
【００４８】
前掛部材３を度付き眼鏡２に取り付けた状態において、サングラスレンズ３１の状態を連結片３５の前面に位置した状態とすると、図４（ａ）に示すように、サングラスレンズ３１は、度付き眼鏡２の度付きレンズ２１１の前面に位置した状態となる。サングラスレンズ３１が、度付き眼鏡２の度付きレンズ２１１の前面に位置した状態では、サングラスレンズ３１が度付きレンズ２１１の前面に位置するため、度付きレンズ２１１とサングラスレンズ３１との両方を通して物を見ることができる。よって、サングラスレンズ３１を度付き眼鏡２の前面に位置した状態では、眼鏡セット１を度付きサングラスとして使用することができる。
【００４９】
一方、前掛部材３を度付き眼鏡２に取り付けた状態において、サングラスレンズ３１を連結片３５の前面に位置した状態から上方に跳ね上げた状態（図３（ｄ）参照）とすると、図４（ｂ）に示すように、サングラスレンズ３１が、度付き眼鏡２の前面に位置した状態から上方に跳ね上げた状態となる。サングラスレンズ３１を上方に跳ね上げた状態では、サングラスレンズ３１を通さず、度付きレンズ２１１のみを通して物を見ることができる。従って、サングラスレンズ３１を上方に跳ね上げた状態では、眼鏡セット１を度付き眼鏡として使用できる。
【００５０】
このように、眼鏡セット１は、サングラスレンズ３１が、度付き眼鏡２の前面に位置した状態のときでも、前記前面に位置した状態から上方に跳ね上げた状態のときでも、度付きレンズ２１１を通して物を見ることができるので、何れの状態であっても、使用者の目の焦点を調整することができる。
【００５１】
また、サングラスレンズ３１を上方に跳ね上げた状態では、度付きレンズ２１１のみを通して物を見ることになるため、サングラスレンズ３１を上方に跳ね上げた状態とすることで、暗い場所における視界が悪くなることを防止することができる。よって、眼鏡セット１は、使い勝手が良い。
【００５２】
また、サングラスレンズ３１に度が入っていないため、サングラスレンズ３１の曲率を変化させても、眼鏡セット１の焦点の調整量が変化する恐れがない。このように、サングラスレンズ３１の曲率の変化によって焦点の調整量が変化する恐れがないため、眼鏡セット１は、焦点の調整量に制約されることなく、サングラスレンズ３１の曲率を決定することができる。このため、眼鏡セット１においては、サングラスレンズ３１の曲率を、顔面に沿うような大きな曲率（本実施形態では、曲率半径が８０〜１５０ｍｍの曲率）とすることができる。また、サングラスレンズ３１を度付き眼鏡２の前面に位置した状態とすると、眼鏡セット１の正面視において、度付き眼鏡２がサングラスレンズ３１によって隠れ、眼鏡セット１の正面視には、サングラスレンズ３１が現れる。従って、前掛部材３のサングラスレンズ３１を顔面に沿うような大きな曲率で湾曲した形状とすることで、眼鏡セット１は、正面視において、前枠が顔面に沿うような大きな曲率で湾曲したデザインのサングラスのような外観を有する。
【００５３】
また、前掛部材３は度付き眼鏡２に対して着脱自在とされており、前掛部材３をＴＰＯに応じて取り替えれば、眼鏡セット１は、ＴＰＯに応じて外観を変更することができる。前掛部材３の取り替えは、前掛部材３を度付き眼鏡２から取り外し、他の前掛部材３を度付き眼鏡２に取り付けることで行うことができる。前掛部材３の度付き眼鏡２からの取り外しは、次のようにして行なわれる。まず、左右のクリングス２１４を切欠部３３１と係合している状態から更に弾性変形させて、切欠部３３１と左右のクリングス２１の係合部２１４ｄとの係合を解除する。具体的には、左右のクリングス２１４の係合部２１４ｄ又は左右の鼻パッド２１５を指等でつまんで、左右のクリングス２１４の係合部２１４ｄを左右方向中央側に移動させて、切欠部３３１と左右のクリングス２１４の係合部２１４ｄとの係合を解除する。より具体的に説明すれば、左のクリングス２１４の係合部２１４ｄを右側に移動させ、右のクリングス２１４の係合部２１４ｄを左側に移動させて、切欠部３３１と左右のクリングス２１４の係合部２１４ｄとの係合を解除する。次に、貫通孔２１６から突起部３３が完全に抜けるまで、前掛部材３を度付き眼鏡２に対して前方にスライドさせる。これにより、前掛部材３が度付き眼鏡２の前面から取り外れる。一方、前掛部材３の度付き眼鏡２への取り付けは、前述の方法で行うことができる。
【００５４】
このように、前掛部材３の度付き眼鏡２に対する取り付け及び取り外しは、左右のクリングス２１４の係合部２１４ｄ又は左右の鼻パッド２１５を指等でつまむこと、及び、前掛部材３を度付き眼鏡２に対して前後にスライドさせることで行うことができる。よって、前掛部材３の度付き眼鏡２への取り付け及び取り外しは、容易に行うことができる。従って、眼鏡セット１の外観をＴＰＯに応じて変更することは、容易に行うことができる。
【００５５】
もちろん、前掛部材３を度付き眼鏡２から取り外した状態では、度付き眼鏡２を、度付き眼鏡そのものとして使用することができる。
【００５６】
（実施形態２）
図６は本実施形態に係る眼鏡セット１Ａの外観図であり、図６（ａ）は眼鏡セット１Ａの平面図を示し、図１（ｂ）は眼鏡セット１Ａの正面図を示す。図６に示すように、眼鏡セット１は、度付き眼鏡２Ａと、度付き眼鏡２Ａの前面に着脱自在に取り付けられる前掛部材３Ａとを備える。
【００５７】
図７は、度付き眼鏡２Ａの平面図である。図７に示すように、度付き眼鏡２Ａは、突起部３３Ａを具備し、クリングス２１４Ａ、鼻パッド２１５Ａ及び貫通孔２１６Ａを具備していない点を除いて、実施形態１に係る度付き眼鏡２と同様の構成である。尚、眼鏡セット１Ａにおいては、クリングス２１４Ａ、鼻パッド２１５Ａ及び貫通孔２１６Ａは、前掛部材３Ａに具備されている。
【００５８】
突起部３３Ａは、ブリッジ部２１３Ａの前面から前方に突出するようにブリッジ部２１３Ａに左右に並設されるように２つ取り付けられている。各突起部３３Ａは、略円柱状に形成されている。各突起部３３Ａが前掛部材３Ａの貫通孔２１６Ａに挿通可能なように、各突起部３３Ａの間隔は貫通孔２１６Ａの間隔と同一とされ、各突起部３３Ａの径は、貫通孔２１６Ａよりも小さくされている。
【００５９】
突起部３３Ａには、側方に切欠部３３１Ａが形成されている。突起部３３Ａの構成は、切欠部３３が形成される突起部３３Ａの先端基端方向の位置が異なることを除いて、突起部３３と同様である。本実施形態では、切欠部３３１Ａは、突起部３３Ａの先端部（取付部３４Ａと反対）側から貫通孔２１６Ａの長さ以上基端部側に離れた位置に形成されている。このような位置に形成されると、突起部３３Ａの先端部側が貫通孔２１６Ａに挿通されているとき、切欠部３３１Ａは、貫通孔２１６Ａ外に露出する。
【００６０】
図８は前掛部材３Ａの構成を示す図であり、図８（ａ）は背面図を示し、図８（ｂ）は前掛部材３Ａの左右方向中央部の平面図を示し、図８（ｃ）は図８（ａ）のＣ−Ｃ断面図を示し、図８（ｄ）は前掛部材３Ａのサングラスレンズ３１Ａが図８（ｃ）に示す状態から上方に跳ね上げられた状態のＣ−Ｃ断面図を示す。図８に示すように、前掛部材３Ａは、クリングス２１４Ａ、鼻パッド２１５Ａ及び貫通孔２１６Ａを具備し、突起部３３Ａを具備しない点を除いて、実施形態１にかかる前掛部材３と同様の構成である。
【００６１】
左右のクリングス２１４Ａは、前掛部材３Ａの連結片３５Ａの後面にろう付け用により取り付けられている。左右のクリングス２１４Ａのそれぞれの先端部２１４Ａｃには、鼻パッド２１５Ａが取り付けられている。
【００６２】
一方、貫通孔２１６Ａは、前掛部材３Ａの連結片３５Ａに形成され、連結片３５Ａを前後方向に貫通する孔である。図８（ａ）に示すように、貫通孔２１６Ａは、弾性変形していない状態のクリングス２１４の中間部又は係合部と前後に重なる位置に形成されている。
【００６３】
図９は、図６（ａ）のＤ―Ｄ断面であり、図９（ａ）はサングラスレンズ３１Ａが連結片３５Ａの前面に位置する状態のＤ−Ｄ断面図を示し、図９（ｂ）はサングラスレンズ３１Ａを図９（ａ）に示す状態から上方に跳ね上げた状態のＤ−Ｄ断面図を示す。図９に示すように、前掛部材３Ａが度付き眼鏡２Ａに取り付けられる際には、貫通孔２１６Ａには、突起部３３Ａに左右のクリングス２１４Ａが係合する状態とされる。
【００６４】
度付き眼鏡２Ａに対する前掛部材３の取り付けは、貫通孔２１６Ａに対して突起部３３Ａを後方から（実施形態１では、前方から）挿通することを除いて、実施形態１に係る取り付けと同様である。
【００６５】
尚、貫通孔２１６Ａに対して突起部３３Ａを挿通する際には、左右の突起部３３Ａの切欠部３３１Ａが連結片３５Ａの後方に露出し、貫通孔２１６Ａ内に入り込まないようにする。
【００６６】
このように、前掛部材３Ａを度付き眼鏡２Ａに取り付けた状態においては、突起部３３Ａが貫通孔２１６Ａに挿通されるため、前掛部材３Ａに対する突起部３３Ａの上下左右方向の移動が阻止される。これにより、前掛部材３Ａを安定した状態で度付き眼鏡２Ａに取り付けることができる。
【００６７】
また、切欠部３３１Ａは、突起部３３Ａの先端部側を貫通孔２１６Ａに挿通させると、貫通孔２１６Ａ外に露出するため、突起部３３Ａを貫通孔２１６Ａに挿通しても、クリングス２１４Ａが切欠部３３１Ａに嵌り込むことができる。このように、切欠部３３１Ａに左右のクリングス２１４Ａが嵌り込むことができるので、度付き眼鏡２に対してクリングス２１４Ａ、ひいては、前掛部材３Ａの前後方向の移動が阻害される。よって、眼鏡セット１Ａにおいては、切欠部３３１Ａに左右のクリングス２１４Ａが嵌り込むことによって、前掛部材３Ａを更に安定した状態で度付き眼鏡２Ａに取り付けることが実現されている。
【００６８】
また、固定片３４１Ａと回動自在に連結された連結片３５Ａには、クリングス２１４Ａが取り付けられている。即ち、固定片３４１Ａに対して、連結片３５Ａ及びクリングス２１４Ａは、回動自在とされている。よって、前掛部材３Ａは、サングラスレンズ３１Ａの状態を、連結片３５Ａ及びクリングス２１４Ａの前面に位置した状態（図８（ｃ）参照）と、連結片３５Ａ及びクリングス２１４Ａの前面に位置した状態から上方に跳ね上げた状態（図８（ｄ）参照）との何れかに切り替えることができる構成とされている。よって、前述のように、前掛部材３Ａを度付き眼鏡２Ａに取り付けた状態において、連結片３５Ａ、クリングス２１４Ａ及びクリングス２１４Ａが係合する突起部３３Ａを具備する度付き眼鏡２に対して固定片３４１Ａを回動させることで、図９（ａ）に示すように、サングラスレンズ３１Ａは、度付き眼鏡２Ａの度付きレンズ２１１Ａの前面に位置した状態と、度付き眼鏡２Ａの前面に位置した状態から上方に跳ね上げた状態との何れかを取ることができる。
【００６９】
図９（ａ）に示すように、サングラスレンズ３１Ａが、度付き眼鏡２Ａの度付きレンズ２１１Ａの前面に位置した状態では、サングラスレンズ３１Ａが度付きレンズ２１１Ａの前面に位置するため、度付きレンズ２１１Ａとサングラスレンズ３１Ａとの両方を通して物を見ることができる。よって、サングラスレンズ３１Ａを度付き眼鏡２Ａの前面に位置した状態では、眼鏡セット１Ａを度付きサングラスとして使用することができる。
【００７０】
一方、図９（ｂ）に示すように、サングラスレンズ３１Ａが、度付き眼鏡２Ａの前面に位置した状態から上方に跳ね上げた状態では、サングラスレンズ３１を通さず、度付きレンズ２１１Ａのみを通して物を見ることができる。従って、サングラスレンズ３１Ａを上方に跳ね上げた状態では、眼鏡セット１Ａを度付き眼鏡として使用できる。
【００７１】
このように、眼鏡セット１Ａは、サングラスレンズ３１Ａが、度付き眼鏡２Ａの前面に位置した状態のときでも、前記前面に位置した状態から上方に跳ね上げた状態のときでも、度付きレンズ２１１Ａを通して物を見ることができるので、何れの状態であっても、使用者の目の焦点を調整することができる。
【００７２】
また、サングラスレンズ３１Ａを上方に跳ね上げた状態では、度付きレンズ２１１Ａのみを通して物を見ることになるため、サングラスレンズ３１Ａを上方に跳ね上げた状態とすることで、暗い場所における視界が悪くなることを防止することができる。よって、眼鏡セット１Ａは、使い勝手が良い。
【００７３】
また、実施形態１に係る眼鏡セット１と同様に、眼鏡セット１Ａにおいてもサングラスレンズ３１に度が入っていないため、サングラスレンズ３１Ａの曲率を、顔面に沿うような大きな曲率とすることができる。また、サングラスレンズ３１Ａを度付き眼鏡２Ａの前面に位置した状態とすると、眼鏡セット１Ａの正面視において、度付き眼鏡２Ａがサングラスレンズ３１Ａによって隠れ、眼鏡セット１Ａの正面視には、サングラスレンズ３１Ａが現れる。従って、前掛部材３Ａのサングラスレンズ３１Ａを顔面に沿うような大きな曲率で湾曲した形状とすることで、眼鏡セット１Ａは、正面視において、前枠が顔面に沿うような大きな曲率で湾曲したデザインのサングラスのような外観を有する。
【００７４】
また、前掛部材３Ａは度付き眼鏡２Ａに対して着脱自在とされており、前掛部材３ＡをＴＰＯに応じて取り替えれば、眼鏡セット１Ａは、ＴＰＯに応じて外観を変更することができる。前掛部材３Ａの取り替えは、実施形態１の取り替えと同様の方法で行うことができる。従って、前掛部材３Ａの取り替えは、容易に行うことができる。従って、眼鏡セット１Ａの外観をＴＰＯに応じて変更することは、容易に行うことができる。
【００７５】
もちろん、前掛部材３Ａを度付き眼鏡２Ａから取り外した状態では、度付き眼鏡２Ａを、度付き眼鏡そのものとして使用することができる。
【図面の簡単な説明】
【００７６】
【図１】図１は実施形態１に係る眼鏡セットの外観図であり、図１（ａ）は眼鏡セットの平面図を示し、図１（ｂ）は眼鏡セットの正面図を示す。
【図２】図２は度付き眼鏡の前枠の構成を示す図であり、図２（ａ）は正面図を示し、図２（ｂ）は左右方向中央部の拡大背面図を示す。
【図３】図３は前掛部材の構成を示す図であり、図３（ａ）は背面図を示し、図３（ｂ）は前掛部材の左右方向中央部の平面図を示し、図３（ｃ）は図３（ａ）のＡ−Ａ断面図を示し、図３（ｄ）は前掛部材のサングラスレンズが図３（ｃ）に示す状態から上方に跳ね上げられた状態のＡ−Ａ断面図を示す。
【図４】図４は、図１（ａ）のＢ―Ｂ断面であり、図４（ａ）はサングラスレンズが連結片の前面に位置する状態のＢ−Ｂ断面図を示し、図４（ｂ）はサングラスレンズを図４（ａ）に示す状態から上方に跳ね上げた状態のＢ−Ｂ断面図を示す。
【図５】図５は度付き眼鏡に対する前掛部材の取り付け方法を説明するための図である。
【図６】図６は本実施形態に係る眼鏡セットの外観図であり、図６（ａ）は眼鏡セットの平面図を示し、図１（ｂ）は眼鏡セットの正面図を示す。
【図７】図７は度付き眼鏡の平面図である。
【図８】図８は前掛部材の構成を示す図であり、図８（ａ）は背面図を示し、図８（ｂ）は前掛部材の左右方向中央部の平面図を示し、図８（ｃ）は図８（ａ）のＣ−Ｃ断面図を示し、図８（ｄ）は前掛部材のサングラスレンズＡが図８（ｃ）に示す状態から上方に跳ね上げられた状態のＣ−Ｃ断面図を示す。
【図９】図９は、図６（ａ）のＤ―Ｄ断面であり、図９（ａ）はサングラスレンズが連結片の前面に位置する状態のＤ−Ｄ断面図を示し、図９（ｂ）はサングラスレンズを図９（ａ）に示す状態から上方に跳ね上げた状態のＤ−Ｄ断面図を示す。
【符号の説明】
【００７７】
１、１Ａ…眼鏡セット、２、２Ａ…度付き眼鏡、３、３Ａ・・前掛部材、３４、３４Ａ・・・取付部
【図１】
0003133206.tif 000003
【図２】
0003133206.tif 000004
【図３】
0003133206.tif 000005
【図４】
0003133206.tif 000006
【図５】
0003133206.tif 000007
【図６】
0003133206.tif 000008
【図７】
0003133206.tif 000009
【図８】
0003133206.tif 000010
【図９】
0003133206.tif 000011